(57)【要約】      （修正有） 【課題】特にエアコンプレッサとエア工具とを安全に結合させて空気通路を作るための、容易に着脱することができるクイック継ぎ手を提供する。【解決手段】空気注入管１１と通気管１２と戻りスプリングとを備える本体１０と、フランジと結合孔と第一ボールとを備える第一位置決め部品と、当接スプリングと通気孔と結合ねじ山と位置決め凹部とを備える制御弁と、外フランジ４２と内フランジと設置孔と第二ボールとを備える第二位置決め部品と、外押圧リング５１と押圧スプリングと内押圧リングとを備える周設部品と、前記本体と前記第一位置決め部品と前記制御弁と前記周設部品との周りに周設されるカバー部材と、を有し、２段式で連結することができ、雄コネクタをスムーズに着脱することができることを特徴とする。【選択図】図１
0003157923.tif 000002
【実用新案登録請求の範囲】
【請求項１】
前端に形成される空気注入管と、内部に該空気注入管と連通する空気室を備える、後端に形成される通気管と、該空気室の内部に位置する戻りスプリングとを備える本体と、
前記通気管と組み合わせることにより本体と結合し、後端外周面に凸設されるフランジと、該フランジの近傍の外周面に間隔をおいて穿設される複数の結合孔と、該複数の結合孔にそれぞれ設置される複数の第一ボールとを備える第一位置決め部品と、
内部に設置される当接スプリングと、前記第一位置決め部品を通過して前記通気管の空気室に位置すると共に、前記戻りスプリングと当接する前端と、該前端外周面に穿設されると共に、前記第一位置決め部品と連通する少なくとも一つの通気孔と、後端外周面に形成される結合ねじ山と、通気孔の近傍の外周面に凹設される環状の位置決め凹部とを備えると共に、移動可能に前記第一位置決め部品と結合する制御弁と、
前記制御弁の後端と結合する前端と、後端外周面に凸設される環状の外フランジと、後端内周面に凸設される環状の内フランジと、該外フランジの近傍の外周面に間隔をおいて穿設される複数の設置孔と、該複数の設置孔にそれぞれ設置される複数の第二ボールとを備える第二位置決め部品と、
前記位置決め凹部の近傍の前記制御弁外周面と対応するように、前端内周面に凹設される環状のスプリング凹部と、前記第二位置決め部品の複数の第二ボールと当接されると共に、後端内周面に凹設される環状の押圧凹部とを備えると共に、移動可能に前記制御弁及び前記第二位置決め部品に周設される外押圧リングと、両端がそれぞれ、該外押圧リングのスプリング凹部及び前記第一位置決め部品のフランジと当接すると共に、前記制御弁に周設される押圧スプリングと、外周面が前記複数の第二ボールと当接するように、移動可能に前記制御弁と前記第二位置決め部品の内フランジとの間に位置する内押圧リングとを備えると共に、前記制御弁と第二位置決め部品とを結合する周設部品と、
前記本体と、前記第一位置決め部品と、前記制御弁と、前記周設部品との周りに周設されるカバー部材と、を有することを特徴とする安全クイック継ぎ手。
【請求項２】
前記本体における前記通気管の後端に前記空気室より大径な収容凹部が形成され、
前記第一位置決め部品は、前端外周に形成される面取り部と、該面取り部と前記収容凹部との間に設置されるガスケットとを備えると共に、前記通気管の収容凹部に配置される密閉環体とを備え、
前記制御弁は、前端が前記密閉環体を通過して前記通気管の空気室に位置すると共に、該密閉環体と当接する詰まりリングを備えることを特徴とする請求項１に記載の安全クイック継ぎ手。
【請求項３】
前記周設部品は、前記内押圧リングの前端内周面に凹設される環状の結合凹部と、該内押圧リングの結合凹部に設置されると共に、前端が前記当接スプリングと当接する円柱管とを備えることを特徴とする請求項２に記載の安全クイック継ぎ手。
【請求項４】
前記本体は、後端に向かって該通気管外周面の中央に形成される環状の当接面部を備え、
前記外押圧リングは、前端外周面に凸設される環状の当接環部を備え、
前記カバー部材は、前端外周面に形成される刻み模様と、後端内周面に形成されると共に、前記第一位置決め部品の複数の第一ボールと当接される環状の傾斜面部と、前端内部に設置されると共に、前記本体の通気管に周設されるように、前記当接面部と当接される抵抗スプリングとを備えると共に、前記本体及び前記第一位置決め部品の周りに周設される前カバー体と、該前カバー体の後端と螺合されると共に、前端に形成される螺合端を備え、後端が前記外押圧リングの周りに周設して該当接環部と当接すると共に、前記前カバー体と結合するように、前記制御弁及び前記周設部品の周りに周設される後カバー体とを備えることを特徴とする請求項３に記載の安全クイック継ぎ手。
【請求項５】
前記空気注入管は、エアコンプレッサと連結する前端と、外周面に設けられるねじ山とを備えることを特徴とする請求項４に記載の安全クイック継ぎ手。
【請求項６】
前記通気管は、前記空気室と反対する側の前記収容凹部内周面に形成されるねじ山を備え、
前記第一位置決め部品は、前記通気管のねじ山と螺合するように、前端外周面に形成される螺合ねじ山を備えることを特徴とする請求項５に記載の安全クイック継ぎ手。
【請求項７】
前記第一位置決め部品は、外周面の前記結合孔と前記螺合ねじ山との境目の近傍に穿設される複数の排気孔を備えることを特徴とする請求項６に記載の安全クイック継ぎ手。
【請求項８】
前記制御弁は、後端外周面に形成される結合ねじ山を備え、
前記第二位置決め部品は、前端内周面に形成されると共に、前記制御弁の結合ねじ山と螺合される取り付けねじ山を備えることを特徴とする請求項７に記載の安全クイック継ぎ手。
【請求項９】
前記本体は、後端に向かって該通気管外周面の中央に形成される環状の当接面部を備え、
前記外押圧リングは、前端外周面に凸設される環状の当接環部を備え、
前記カバー部材は、前端外周面に形成される刻み模様と、後端内周面に形成されると共に、前記第一位置決め部品の複数の第一ボールと当接される環状の傾斜面部と、前端内部に設置されると共に、前記本体の通気管に周設されるように、前記当接面部と当接される抵抗スプリングとを備えると共に、該本体及び前記第一位置決め部品の周りに周設される前カバー体と、該前カバー体の後端と螺合されると共に、前端に形成される螺合端を備え、後端が前記外押圧リングの周りに周設して該当接環部と当接すると共に、前記前カバー体と結合するように、前記制御弁及び前記周設部品の周りに周設される後カバー体とを備えることを特徴とする請求項１に記載の安全クイック継ぎ手。
【請求項１０】
前記空気注入管は、エアコンプレッサと連結する前端と、外周面に設けられるねじ山とを備え、
前記通気管は、前記空気室と反対する側の前記収容凹部内周面に形成されるねじ山を備え、
前記第一位置決め部品は、前記通気管のねじ山と螺合するように、前端外周面に形成される螺合ねじ山と、外周面の前記結合孔と螺合ねじ山との境目の近傍に穿設される複数の排気孔を備え、
前記制御弁は、後端外周面に形成される結合ねじ山を備え、
前記第二位置決め部品は、前端内周面に形成されると共に、前記制御弁の結合ねじ山と螺合される取り付けねじ山を備えることを特徴とする請求項１に記載の安全クイック継ぎ手。
【考案の詳細な説明】
【技術分野】
【０００１】
本考案は、特にエアコンプレッサとエア工具とを安全に結合させて空気通路を作るための、容易に着脱することができるクイック継ぎ手に関するものである。
【背景技術】
【０００２】
従来のクイック継ぎ手は、エア工具に応用されるものであり、そのエア工具は、エアコンプレッサからの高圧気体に駆動され、空気注入端に雄コネクタが設置されている。また、該クイック継ぎ手には、エアコンプレッサに連結されたパイプが設置され、エア工具の雄コネクタと連結することにより空気通路が形成されている。
【０００３】
従来のクイック継ぎ手は、雄コネクタと連結する前に、内部の空気通路が内部に設置された制御弁に封鎖され、空気の通過を阻止するものであり、雄コネクタと連結すると、雄コネクタの前端が制御弁を押圧して空気通路を開け、空気の通過を可能とする。
【０００４】
さらに、従来のクイック継ぎ手と雄コネクタは、互いに安定に連結させるため、クイック継ぎ手内周面に複数のボールが設置されると共に、該ボールと対応する、雄コネクタ外周面に環状の係合凹部が凹設され、これにより、従来のクイック継ぎ手の内部に挿入する時に、係合凹部がボールに対応すると共に、互いに係合するように、クイック継ぎ手と安定に連結することができる。
【０００５】
しかしながら、従来のエア工具を使用する時は、エアコンプレッサが高圧気体を提供し続けるため、雄コネクタがクイック継ぎ手と連結する前に、クイック継ぎ手の制御弁が雄コネクタの前端に押圧されて通路となり、高圧気体が噴出して雄コネクタを押し出してしまうと、装着し直さなければならないので、使用上、非常に不便であった。また、力が足りない人の場合、装着できないこともあった。
【０００６】
さらに、雄コネクタをクイック継ぎ手から外す時には、クイック継ぎ手のボールを径方向の外側へ移動させれば、雄コネクタをクイック継ぎ手から引き出すことができるが、雄コネクタがクイック継ぎ手から外れる時には、クイック継ぎ手の制御弁が元の箇所に復位する間も、高圧気体が噴出し続けることから、雄コネクタを飛び出させてしまうので、手でパイプをしっかり持たなければ、高圧気体の強い力でパイプが振られ、危険な状態が発生する恐れがある。
【０００７】
特許文献１乃至特許文献３に示すように、従来の「安全クイック継ぎ手」は、本考案と同一の創作者が考案したことによって、雄コネクタがスムーズにクイック継ぎ手から外れることができるが、スムーズに安全な連結が未だ期待されている。
【先行技術文献】
【特許文献】
【０００８】
【特許文献１】台湾実用新案登録第Ｍ３３４２４４号明細書
【特許文献２】中国特許第ＺＬ２００８２０００１８３７．８号明細書
【特許文献３】米国特許出願第１２/０４３,２５４号明細書
【考案の概要】
【考案が解決しようとする課題】
【０００９】
従来のクイック継ぎ手は、雄コネクタと連結する時に、エアコンプレッサからの高圧気体が雄コネクタを押し出すことから、装着し直さなければならない問題があり、使用上、
非常に不便であった。さらに、雄コネクタがクイック継ぎ手から外れる時に、雄コネクタが高圧気体によって飛び出すので、危険な状態が発生する恐れがあった。
【課題を解決するための手段】
【００１０】
本願の請求項１の考案は、前端に形成される空気注入管と、内部に該空気注入管と連通する空気室を備える、後端に形成される通気管と、該空気室の内部に位置する戻りスプリングとを備える本体と、
前記通気管と組み合わせることにより本体と結合し、後端外周面に凸設されるフランジと、該フランジの近傍の外周面に間隔をおいて穿設される複数の結合孔と、該複数の結合孔にそれぞれ設置される複数の第一ボールとを備える第一位置決め部品と、
内部に設置される当接スプリングと、前記第一位置決め部品を通過して前記通気管の空気室に位置すると共に、前記戻りスプリングと当接する前端と、該前端外周面に穿設されると共に、前記第一位置決め部品と連通する少なくとも一つの通気孔と、後端外周面に形成される結合ねじ山と、通気孔の近傍の外周面に凹設される環状の位置決め凹部とを備えると共に、移動可能に前記第一位置決め部品と結合する制御弁と、
前記制御弁の後端と結合する前端と、後端外周面に凸設される環状の外フランジと、後端内周面に凸設される環状の内フランジと、該外フランジの近傍の外周面に間隔をおいて穿設される複数の設置孔と、該複数の設置孔にそれぞれ設置される複数の第二ボールとを備える第二位置決め部品と、
前記位置決め凹部の近傍の前記制御弁外周面と対応するように、前端内周面に凹設される環状のスプリング凹部と、前記第二位置決め部品の複数の第二ボールと当接されると共に、後端内周面に凹設される環状の押圧凹部とを備えると共に、移動可能に前記制御弁及び前記第二位置決め部品に周設される外押圧リングと、両端がそれぞれ、該外押圧リングのスプリング凹部及び前記第一位置決め部品のフランジと当接すると共に、前記制御弁に周設される押圧スプリングと、外周面が前記複数の第二ボールと当接するように、移動可能に前記制御弁と前記第二位置決め部品の内フランジとの間に位置する内押圧リングとを備えると共に、前記制御弁と第二位置決め部品とを結合する周設部品と、
前記本体と、前記第一位置決め部品と、前記制御弁と、前記周設部品との周りに周設されるカバー部材と、を有することを特徴とする安全クイック継ぎ手、を提供する。
【００１１】
本願の請求項２の考案は、前記本体における前記通気管の後端に前記空気室より大径な収容凹部が形成され、
前記第一位置決め部品は、前端外周に形成される面取り部と、該面取り部と前記収容凹部との間に設置されるガスケットとを備えると共に、前記通気管の収容凹部に配置される密閉環体とを備え、
前記制御弁は、前端が前記密閉環体を通過して前記通気管の空気室に位置すると共に、該密閉環体と当接する詰まりリングを備えることを特徴とする請求項１に記載の安全クイック継ぎ手、を提供する。
【００１２】
本願の請求項３の考案は、前記周設部品は、前記内押圧リングの前端内周面に凹設される環状の結合凹部と、該内押圧リングの結合凹部に設置されると共に、前端が前記当接スプリングと当接する円柱管とを備えることを特徴とする請求項２に記載の安全クイック継ぎ手、を提供する。
【００１３】
本願の請求項４の考案は、前記本体は、後端に向かって該通気管外周面の中央に形成される環状の当接面部を備え、
前記外押圧リングは、前端外周面に凸設される環状の当接環部を備え、
前記カバー部材は、前端外周面に形成される刻み模様と、後端内周面に形成されると共に、前記第一位置決め部品の複数の第一ボールと当接される環状の傾斜面部と、前端内部に設置されると共に、前記本体の通気管に周設されるように、前記当接面部と当接される
抵抗スプリングとを備えると共に、前記本体及び前記第一位置決め部品の周りに周設される前カバー体と、該前カバー体の後端と螺合されると共に、前端に形成される螺合端を備え、後端が前記外押圧リングの周りに周設して該当接環部と当接すると共に、前記前カバー体と結合するように、前記制御弁及び前記周設部品の周りに周設される後カバー体とを備えることを特徴とする請求項３に記載の安全クイック継ぎ手、を提供する。
【００１４】
本願の請求項５の考案は、前記空気注入管は、エアコンプレッサと連結する前端と、外周面に設けられるねじ山とを備えることを特徴とする請求項４に記載の安全クイック継ぎ手、を提供する。
【００１５】
本願の請求項６の考案は、前記通気管は、前記空気室と反対する側の前記収容凹部内周面に形成されるねじ山を備え、
前記第一位置決め部品は、前記通気管のねじ山と螺合するように、前端外周面に形成される螺合ねじ山を備えることを特徴とする請求項５に記載の安全クイック継ぎ手、を提供する。
【００１６】
本願の請求項７の考案は、前記第一位置決め部品は、外周面の前記結合孔と前記螺合ねじ山との境目の近傍に穿設される複数の排気孔を備えることを特徴とする請求項６に記載の安全クイック継ぎ手、を提供する。
【００１７】
本願の請求項８の考案は、前記制御弁は、後端外周面に形成される結合ねじ山を備え、
前記第二位置決め部品は、前端内周面に形成されると共に、前記制御弁の結合ねじ山と螺合される取り付けねじ山を備えることを特徴とする請求項７に記載の安全クイック継ぎ手、を提供する。
【００１８】
本願の請求項９の考案は、前記本体は、後端に向かって該通気管外周面の中央に形成される環状の当接面部を備え、
前記外押圧リングは、前端外周面に凸設される環状の当接環部を備え、
前記カバー部材は、前端外周面に形成される刻み模様と、後端内周面に形成されると共に、前記第一位置決め部品の複数の第一ボールと当接される環状の傾斜面部と、前端内部に設置されると共に、前記本体の通気管に周設されるように、前記当接面部と当接される抵抗スプリングとを備えると共に、該本体及び前記第一位置決め部品の周りに周設される前カバー体と、該前カバー体の後端と螺合されると共に、前端に形成される螺合端を備え、後端が前記外押圧リングの周りに周設して該当接環部と当接すると共に、前記前カバー体と結合するように、前記制御弁及び前記周設部品の周りに周設される後カバー体とを備えることを特徴とする請求項１に記載の安全クイック継ぎ手、を提供する。
【００１９】
本願の請求項１０の考案は、前記空気注入管は、エアコンプレッサと連結する前端と、外周面に設けられるねじ山とを備え、
前記通気管は、前記空気室と反対する側の前記収容凹部内周面に形成されるねじ山を備え、
前記第一位置決め部品は、前記通気管のねじ山と螺合するように、前端外周面に形成される螺合ねじ山と、外周面の前記結合孔と螺合ねじ山との境目の近傍に穿設される複数の排気孔を備え、
前記制御弁は、後端外周面に形成される結合ねじ山を備え、
前記第二位置決め部品は、前端内周面に形成されると共に、前記制御弁の結合ねじ山と螺合される取り付けねじ山を備えることを特徴とする請求項１に記載の安全クイック継ぎ手、を提供する。
【考案の効果】
【００２０】
本考案に係る安全クイック継ぎ手は上記の課題を解決するものであり、二段式の構成となっているので、雄コネクタとの着脱が容易にできる。
【図面の簡単な説明】
【００２１】
【図１】本考案に係る安全クイック継ぎ手の斜視図である。
【図２】本考案に係る安全クイック継ぎ手の分解斜視図である。
【図３】本考案に係る安全クイック継ぎ手の一方の断面図である。
【図４】本考案に係る安全クイック継ぎ手の他方の断面図である。
【図５】本考案に係る安全クイック継ぎ手の使用状態を示す断面図である。
【図６】本考案に係る安全クイック継ぎ手の他の使用状態を示す断面図である。
【考案を実施するための形態】
【００２２】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００２３】
図１は本考案に係る安全クイック継ぎ手の斜視図であり、図２は本考案に係る安全クイック継ぎ手の分解斜視図であり、図３は本考案に係る安全クイック継ぎ手の一方の断面図であり、図４は本考案に係る安全クイック継ぎ手の多方の断面図であり、図５は本考案に係る安全クイック継ぎ手の使用状態を示す断面図であり、図６は本考案に係る安全クイック継ぎ手の他の使用状態を示す断面図である。
【００２４】
図１乃至図４に示すように、本考案に係る安全クイック継ぎ手は、本体（１０）と、第一位置決め部品（２０）と、制御弁（３０）と、第二位置決め部品（４０）と、周設部品（５０）と、カバー部材（６０）とを有するものである。
【００２５】
その内、前記本体（１０）は、管状を呈し、前端にエアコンプレッサ（符号なし）と連結すると共に、外周面に設けられるねじ山（１１１）を備える空気注入管（１１）と、内部に該空気注入管（１１）と連通する空気室（１２１）と、後端に形成される該空気室（１２１）より大径な収容凹部（１２２）と、該空気室（１２１）と反対する側の該収容凹部（１２２）内周面に形成されるねじ山（１２３）と、後端に向かって外周面の中央に形成される環状の当接面部（１２４）とを備える通気管（１２）と、該通気管（１２）の空気室（１２１）の内部に位置する戻りスプリング（１３）とを有するものである。
【００２６】
前記第一位置決め部品（２０）は、前記本体（１０）と結合し、前端の端面の外周に凹設される面取り部（２１１）と、該面取り部（２１１）と前記収容凹部（１２２）との間に設置されるガスケット（２１２）とを備えると共に、前記通気管（１２）の収容凹部（１２２）に配置される密閉環体（２１）と、前記通気管（１２）のねじ山（１２３）と螺合するように、前端外周面に形成される螺合ねじ山（２２）と、後端外周面に凸設されるフランジ（２３）と、該フランジ（２３）の近傍の外周面に間隔をおいて穿設される複数の結合孔（２４）と、該複数の結合孔（２４）にそれぞれ設置される複数の第一ボール（２５）とを有するものである。尚、前記第一位置決め部品（２０）は、外周面の前記結合孔（２４）と螺合ねじ山（２２）との境目の近傍に穿設される複数の排気孔（２６）を備えることが好ましい。
【００２７】
前記制御弁（３０）は、移動可能に前記第一位置決め部品（２０）と結合すると共に、該第一位置決め部品（２０）の密閉環体（２１）を通過して前記通気管（１２）の空気室（１２１）に位置し、前記戻りスプリング（１３）と当接する前端と、内部に設置される当接スプリング（３１）と、該前端に周設されると共に、該密閉環体（２１）と当接する詰まりリング（３２）と、該前端外周面に穿設されると共に、該第一位置決め部品（２０
）と連通する少なくとも一つの通気孔（３３）と、後端外周面に形成される結合ねじ山（３４）と、通気孔（３３）の近傍の外周面に凹設される環状の位置決め凹部（３５）と、を有するものである。
【００２８】
前記第二位置決め部品（４０）は、前記制御弁（３０）の後端と結合する前端と、該前端内周面に形成されると共に、該制御弁（３０）の結合ねじ山（３４）と螺合される取り付けねじ山（４１）と、後端外周面に凸設される環状の外フランジ（４２）と、後端内周面に凸設される環状の内フランジ（４３）と、該外フランジ（４２）の近傍の外周面に間隔をおいて穿設される複数の設置孔（４４）と、該複数の設置孔（４４）にそれぞれ設置される複数の第二ボール（４５）とを有するものである。
【００２９】
前記周設部品（５０）は、前記制御弁（３０）と第二位置決め部品（４０）とに結合し、前記位置決め凹部（３５）の近傍の前記制御弁（３０）外周面と対応するように、前端内周面に凹設される環状のスプリング凹部（５１１）と、該第二位置決め部品（４０）の複数の第二ボール（４５）と当接すると共に、後端内周面に凹設される環状の押圧凹部（５１２）と、該スプリング凹部（５１１）の近傍の前端外周面に凸設される環状の当接環部（５１３）とを備えると共に、移動可能に前記制御弁（３０）及び前記第二位置決め部品（４０）に周設される外押圧リング（５１）と、両端がそれぞれ該外押圧リング（５１）のスプリング凹部（５１１）及び前記第一位置決め部品（２０）のフランジ（２３）と当接すると共に、該制御弁（３０）に周設される押圧スプリング（５２）と、前端内周面に凹設される環状の結合凹部（５３１）を備えると共に、外周面が前記複数の第二ボール（４５）と当接するように、移動可能に該制御弁（３０）と前記第二位置決め部品（４０）の内フランジ（４３）との間に位置する内押圧リング（５３）と、該内押圧リング（５３）の結合凹部（５３１）に設置されると共に、前端が前記当接スプリング（３１）と当接する円柱管（５４）とを備えるものである。
【００３０】
前記カバー部材（６０）は、前記本体（１０）と、前記第一位置決め部品（２０）と、前記制御弁（３０）と、前記周設部品（５０）との周りに周設され、前カバー体（６１）と、後カバー体（６２）とを有し、その内、該前カバー体（６１）は、該本体（１０）及び前記第一位置決め部品（２０）の周りに周設され、前端と、該前端と反対する側の固定端（６１１）と、該前端外周面に形成される刻み模様（６１２）と、該固定端（６１１）内周面に形成されると共に、該第一位置決め部品（２０）の複数の第一ボール（２５）と当接する環状の傾斜面部（６１３）と、前端内部に設置されると共に、該本体（１０）の通気管（１２）に周設されるように、前記当接面部（１２４）と当接する抵抗スプリング（６１４）とを備え、該後カバー体（６２）は、前記前カバー体（６１）と結合され、且つ、前記制御弁（３０）及び前記周設部品（５０）の周りに周設され、該前カバー体（６１）の固定端（６１１）と螺合されると共に、前端に形成される螺合端（６２１）を備え、後端が前記外押圧リング（５１）の周りに周設する前記当接環部（５１３）と当接される。
【００３１】
図３及び図４に示すように、本考案に係る安全クイック継ぎ手を使用しない時は、制御弁（３０）が戻りスプリング（１３）に押圧されるため、該制御弁（３０）の前端における詰まりリング（３２）が第一位置決め部品（２０）の密閉環体（２１）に当接され、該制御弁（３０）が本体（１０）と連通しない気密な状態を維持することができる。さらに、本体（１０）は、エアコンプレッサ（符号なし）と連結する時に、本体（１０）の内部の高圧気体によって、制御弁（３０）の詰まりリング（３２）を第一位置決め部品（２０）の密閉環体（２１）に気密的に当接させることができるので、空気が漏れることはない。
【００３２】
図５及び図６に示すように、本考案に係る安全クイック継ぎ手を使用する時は、前端外
周面に凹設される係合凹部（７１）を備える雄コネクタ（７０）と連結されると共に、該雄コネクタ（７０）を介してエア工具と連結される。このように、前記雄コネクタ（７０）との連結には、以下に示すように二つの段階がある。
【００３３】
図５に示すように、雄コネクタ（７０）の前端は、第二位置決め部品（４０）に挿入することによって、内押圧リング（５３）と円柱管（５４）を押圧して、当接スプリング（３１）を圧縮させる。そして、外押圧リング（５１）は、押圧スプリング（５２）に押圧されて第二位置決め部品（４０）の外フランジ（４２）に向かって移動する。また、雄コネクタ（７０）の前端は、係合凹部（７１）が複数の第二ボール（４５）に当接するまで第二位置決め部品（４０）の内部を移動し、複数の第二ボール（４５）が外押圧リング（５１）内周面に押圧されて係合凹部（７１）に係合することにより、第一段階の連結が完成する。
尚、この時、制御弁（３０）は移動せず、第一位置決め部品（２０）の密閉環体（２１）と気密的に当接されている状態であり、エアコンプレッサ（符号なし）からの高圧気体による衝撃を受けないので、雄コネクタ（７０）が外れることはない。
【００３４】
図６を示すように、雄コネクタ（７０）の前端は、本体（１０）に向かって移動することにより、係合凹部（７１）に係合された複数の第二ボール（４５）を介して第二位置決め部品（４０）を本体（１０）に向かって移動させる。これにより、制御弁（３０）は、当接スプリング（３１）が空気室（１２１）及び空気注入管（１１）と連通するまで第二位置決め部品（４０）に押圧され、本体（１０）と連通状態となる。また、制御弁（３０）が第一位置決め部品（２０）と本体（１０）の内部に押し込まれる時に、第一位置決め部品（２０）の複数の第一ボール（２５）が、前カバー体（６１）の傾斜面部（６１３）に押圧されて制御弁（３０）の位置決め凹部（３５）に係合し、安定に第一位置決め部品（２０）と係合することにより、第二段階の連結が完成する。
【００３５】
このように、本考案に係る安全クイック継ぎ手は、２段階式で雄コネクタ（７０）と連結し、第一段階では、雄コネクタ（７０）を第二位置決め部品（４０）に挿入させて複数の第二ボール（４５）に係合させ、制御弁（３０）を押圧しないので、エアコンプレッサ（符号なし）からの高圧気体による衝撃を受けずに容易に雄コネクタ（７０）を連結するこができる。一方、第二段階は、雄コネクタ（７０）を本体（１０）に向かって移動させて制御弁（３０）を押圧し、制御弁（３０）を第一位置決め部品（２０）と本体（１０）の内部に押し込む時に、複数の第一ボール（２５）に係合させることにより、制御弁（３０）を安定に第一位置決め部品（２０）と連結させると共に、制御弁（３０）を空気室（１２１）及び空気注入管（１１）と連通させる。
【００３６】
更に、本考案に係る安全クイック継ぎ手は、雄コネクタ（７０）を外す時に、第二位置決め部品（４０）に向かって雄コネクタ（７０）を引いて、制御弁（３０）の前端の詰まりリング（３２）を第一位置決め部品（２０）の密閉環体（２１）と当接する気密な状態に戻し、そして、第二位置決め部品（４０）から外すように雄コネクタ（７０）を引き出す。この時、エアコンプレッサ（符号なし）からの高圧気体の流れは停止しているので、雄コネクタ（７０）が高圧気体に押し出されることを防ぎ、安全クイック継ぎ手からスムーズに取り外すことができる。
【産業上の利用可能性】
【００３７】
本考案は上記の構成を有するので、雄コネクタの着脱をスムーズに行うことができる。
【符号の説明】
【００３８】
１０        本体
１１        空気注入管
１１１      ねじ山
１２        通気管
１２１      空気室
１２２      収容凹部
１２３      ねじ山
１２４      当接面部
１３        戻りスプリング
２０        第一位置決め部品
２１        密閉環体
２１１      面取り部
２１２      ガスケット
２２        螺合ねじ山
２３        フランジ
２４        結合孔
２５        第一ボール
２６        排気孔
３０        制御弁
３１        当接スプリング
３２        詰まりリング
３３        通気孔
３４        結合ねじ山
３５        位置決め凹部
４０        第二位置決め部品
４１        取り付けねじ山
４２        外フランジ
４３        内フランジ
４４        設置孔
４５        第二ボール
５０        周設部品
５１        外押圧リング
５１１      スプリング凹部
５１２      押圧凹部
５１３      当接環部
５２        押圧スプリング
５３        内押圧リング
５３１      結合凹部
５４        円柱管
６０        カバー部材
６１        前カバー体
６１１      固定端
６１２      刻み模様
６１３      傾斜面部
６１４      抵抗スプリング
６２        後カバー体
６２        １螺合端
７０        雄コネクタ
７１        係合凹部
【図１】
0003157923.tif 000003
【図２】
0003157923.tif 000004
【図３】
0003157923.tif 000005
【図４】
0003157923.tif 000006
【図５】
0003157923.tif 000007
【図６】
0003157923.tif 000008